(57)【要約】【課題】  アンカーボルトで書架を固定しつつ、簡易な構造でありながら、床面からの地震動を吸収し低減させる書架用制振構造を提供する。【解決手段】  本発明の書架用制振構造は、書架１０の側板１１を底面側から挟んでいるＵ型金具２０と、そのＵ型金具の側面２０ｂを貫通し、Ｕ型金具２０を側板１１に固定している取付ボルト２１と、Ｕ型金具の底面２０ａと側板１１との間に挟まれている第１の弾性部材３１と、Ｕ型金具の底面２０ａを貫通して床面に固定されているアンカーボルト２２と、を有するものとする。【選択図】      図３
2019088429.tif 000002
【特許請求の範囲】
【請求項１】
書架の側板を底面側から挟んでいるＵ型金具と、
前記Ｕ型金具の側面を貫通し、前記Ｕ型金具を前記側板に固定している取付ボルトと、
前記Ｕ型金具の底面と前記書架を設置する前記側板との間に挟まれている第１の弾性部材と、
前記Ｕ型金具の底面を貫通して床面に固定されているアンカーボルトと、を有することを特徴とする書架用制振構造。
【請求項２】
前記側板の側面と前記Ｕ型金具との間に挟まれている第２の弾性部材を有することを特徴とする請求項１に記載の書架用制振構造。
【請求項３】
前記Ｕ型金具と床面との間に高さ調整材を有し、前記高さ調整材を前記アンカーボルトが貫通していることを特徴とする請求項１又は２に記載の書架用制振構造。
【発明の詳細な説明】
【技術分野】
【０００１】
本発明は、書架に制振性を付加する書架用制振構造に関する。
【背景技術】
【０００２】
図書館に設置されている書架は、一般家庭用の書架と比べるとサイズが大きく、収納されている書籍の数も多い。例えば、通常の図書館用書架は、一段あたり横幅９００ｍｍ、奥行き２１０ｍｍ、高さ２７５ｍｍの空間を５段から７段ほど配置して、それを連続的に繋げた構造となっている。そのような図書館用の書架が、地震によって倒壊すると、多数の書籍が落下したりして被害が大きくなり、また、復旧に時間がかかる。
【０００３】
そこで地震対策として、書架に免震装置を設けることがある（例えば、特許文献１参照）。図５は、書架に設置できる免震装置の一例であり、（ａ）は平面図、（ｂ）は正面図である。このような免震装置１００では、載置台１２０とその上に載る書架の重量を、直交する２方向に復帰力を発生する十字型スライド１３０と、車輪等からなる転動支持手段１２１とで分担支持できるので、十字型スライド１３０の載荷重に対する強度を下げることができ、優れた免震効果を発揮することができるという効果を奏している。
【０００４】
特許文献１には、このような構造の免震装置であれば、安価に製造することができると記載されているが、免震装置そのものが複雑な構造なので、簡易な地震対策と比較すると高価であり、さらに図書館のように多数の書架が並んでいるような場合には、設置個数が多くなるので、全量としては多大な費用がかかることになる。したがって、安価でありながら、このような免震装置と同程度の効果を発揮できるような地震対策が望まれる。
【０００５】
図書館では、書架を床面にアンカーボルトで固定して地震対策をすることもある。しかし、その場合、床面からの地震動が書架に直接伝達され、収納されている書籍は固定されていないので、高い段から書籍が落下する可能性が高くなる。特に、地震動の方向が書架の奥行方向の場合には、棚板の背面側に設置してある背板から書籍に振動が伝わるため、より書籍の落下が多くなることになる。
【０００６】
また、書架と床面との間に弾性部材を挟み込むことで、書架への地震動の伝達を低減させるという地震対策も可能であるが、その場合は、弾性部材の変形や劣化によって、書架の安定性が損なわれやすいという問題がある。
【先行技術文献】
【特許文献】
【０００７】
【特許文献１】特許第４９３６９０３号
【発明の概要】
【発明が解決しようとする課題】
【０００８】
上記のような事情に鑑み、本発明は、アンカーボルトで書架を固定しつつ、簡易な構造でありながら、床面からの地震動を吸収し低減させる書架用制振構造を提供することを目的としている。
【課題を解決するための手段】
【０００９】
上記の目的を達成するために本発明の書架用制振構造は、書架の側板を底面側から挟んでいるＵ型金具と、そのＵ型金具の側面を貫通し、Ｕ型金具を側板に固定している取付ボルトと、Ｕ型金具の底面と書架の側板との間に挟まれている第１の弾性部材と、Ｕ型金具の底面を貫通して床面に固定されているアンカーボルトと、を有するものである。
【００１０】
更に、側板の側面とＵ型金具との間に挟まれている第２の弾性部材を有することにしたり、Ｕ型金具と床面との間に高さ調整材を有し、その高さ調整材をアンカーボルトが貫通していることにしてもよい。
【発明の効果】
【００１１】
本発明の書架用制振構造によれば、アンカーボルトで書架を固定しつつ、Ｕ型金具と側板との間に弾性部材を簡単に取付けることができ、更に、弾性部材の変形量をＵ型金具で制限できるので、安定した状態かつ容易に制振構造を付加することができるという効果を奏する。更に、高さ調整材をアンカーボルトが貫通することで、高さ調整材を安全に設置することができる。
【図面の簡単な説明】
【００１２】
【図１】本発明の書架用制振構造を書架に設けた全体斜視図である。
【図２】Ｕ型金具の斜視図である。
【図３】本発明の書架用制振構造の断面図である。
【図４】本発明の書架用制振構造の側面図である。
【図５】書架に設置できる免震装置の一例であり、（ａ）は平面図、（ｂ）は正面図である。
【発明を実施するための形態】
【００１３】
以下、本発明の実施の形態を添付図面を参照して説明する。
【００１４】
図１は、本発明の書架用制振構造を書架に設けた全体斜視図である。なお、書架１０の向かって左側は棚板１３を外した状態、右側は棚板１３を取付けた状態である。
【００１５】
書架１０の基本構造は、側板１１、フレーム１２、棚板１３、背板１４で構成されている。側板１１、フレーム１２及び棚板１３の素材は、スチール製や木製など特に限定せず、例えば、フレーム１２と棚板１３をスチール製とし、側板１１を木製とするような組合せにしてもよい。
【００１６】
側板１１は、収納する書籍を左右方向から挟む方向に垂直に立てられた板材であり、柱としての役目を果たす。隣り合う側板１１は、フレーム１２で繋がれ、上方から見ると側板１１に対しフレーム１２が直角に接続している。つまり、フレーム１２と側板１１は、上方から見てＨ形状又はコの字形状になるので、全体として自立できることになる。なお、図１はＨ形状の図であり、図書館用の書架１０では、Ｈ形状のものが多い。
【００１７】
フレーム１２は、垂直方向の２辺と水平方向の２辺からなる四角形の枠材である。フレーム１２の垂直方向の２辺は、側板１１の中心に沿って側板１１に結合され、水平方向の２辺は、隣り合う側板１１を、側板１１の上側と下側で連結する構造になっている。
【００１８】
棚板１３は、上方から見てフレーム１２と２枚の側板１１，１１で三方を囲まれた空間に設置される。つまり、Ｈ形状の書架１０の場合は、上方から見ると、フレーム１２を境に対称的に棚板１３が設置されることになる。
【００１９】
背板１４は、フレーム１２の４辺が形成している四角形の内側に取付けられる板状の部材である。背板１４は、棚板１３の背面側に備えられてあり、書籍が棚板１３の後方に落下するのを防いだり、棚の間仕切りとしての役目を果たしたりするものである。つまり、棚板１３がフレーム１２を境に対称的に設けられている場合は、その対称的な棚板１３の間にあって、表と裏の棚を間仕切りすることになる。なお、地震が発生したときに、書籍が背板１４に衝突することがあるので、背板１４の素材は、軽くて丈夫なものが望ましい。また、フレーム１２と背板１４とをバネ材からなるダンパーで繋ぐことで、背板１４を制振部材として利用することも可能である。
【００２０】
本発明の書架用制振構造は、上記のような構造の書架１０と床面との間に設けて、床面からの地震動を容易かつ安全に吸収・低減するものである。
【００２１】
図１の側板１１の底面に取付けられているのがＵ型金具２０であり、図２は、Ｕ型金具の斜視図である。また、図３は、本発明の書架用制振構造の断面図であり、図４は、本発明の書架用制振構造の側面図である。
【００２２】
Ｕ型金具２０は、金属製の板材を折り曲げて形成した断面がＵの字型の部材であり、Ｕ型金具の底面２０ａと、２面のＵ型金具の側面２０ｂと、からなる。このＵ型金具２０は、図３に示すように側板１１を底面側から挟むように取付けるものである。Ｕ型金具の側面２０ｂには、Ｕ型金具２０を側板１１に固定するための取付ボルト２１を貫通させる取付ボルト孔２０ｃがあけられており、また、Ｕ型金具の底面２０ａには、床面ＦＬに固定するためのアンカーボルト２２を貫通させるアンカーボルト孔２０ｄがあけられている。Ｕ型金具２０の長さは書架に合わせて様々であり、図２（ａ）は長いＵ型金具の例、図２（ｂ）は短いＵ型金具の例である。Ｕ型金具２０が長い場合、取付けボルト孔２０ｃやアンカーボルト孔２０ｄの箇所数を増やすことで、書架の安定性を増すことができる。一方、Ｕ型金具が短い場合、一つの側板１１に対して、複数箇所取り付けるとよい。つまり、Ｕ型金具２０の長さは特に限定しないので、取付けボルト孔２０ｃやアンカーボルト孔２０ｄの箇所数も特に限定せず、サイズや設置場所に応じて決定すればよい。
【００２３】
書架用制振構造の書架への取付手順を説明する。まず、書架１０を設置する床面ＦＬ上にＵ型金具２０を配置する。そして、Ｕ型金具の底面２０ａ上に第１の弾性部材３１を所定の位置に載置する。そして、Ｕ型金具２０のアンカーボルト孔２０ｄを貫通させて、床面ＦＬにアンカーボルト２２を固定する。次に、書架１０の側板１１がＵ型金具２０に挟まれるように書架１０を設置する。なお、側板１１の底面には、アンカーボルト２２の頭部を収納できる凹部を設けておいてもよい。最後に、Ｕ型金具の側面２０ｂにあいている取付ボルト孔２０ｃに取付ボルト２１を通して、側板１１とＵ型金具２０を固定する。
【００２４】
なお、側板１１の側面とＵ型金具の側面２０ｂとの間に、第２の弾性部材３２を挟んでもよい。第２の弾性部材３２を設けることで、第１の弾性部材３１だけの場合よりも地震動の吸収や減衰効果が高くなるという効果が得られる。
【００２５】
第１の弾性部材３１と第２の弾性部材３２は、ダンパーとして機能するものであれば特に素材は限定しないが、基本的にはゴム製であり、耐久性の高いものが望まれる。また、設置個数や大きさも特に限定せず、Ｕ型金具２０の長さや、書架１０の安定性を考慮して、個数や大きさを決定すればよい。なお、第１の弾性部材３１や第２の弾性部材３２は、Ｕ型金具２０の内側に備えられるので、変形がある程度制限され、書架１０が必要以上に不安定になることを抑えることができる。
【００２６】
また、書架２０の傾きを調整するために、高さ調整材３５を使用することができる。高さ調整材３５は、床面ＦＬとＵ型金具の底面２０ａとの間に設置すればよい。高さ調整材３５は、アンカーボルト２２を貫通させる孔が設けられていることで、ずれたり外れたりすることを防止することができる。なお、高さ調整材３５の素材は、金属製を基本とするが、弾性材にすることで、地震動の減衰効果に更に寄与することもできる。
【００２７】
本発明の書架用制振構造は、Ｕ型金具を用いた簡易な構造なので、アンカーボルトと組み合わせて、容易に制振構造を付加することができる。また、第１の弾性部材及び第２の弾性部材の取り替えが可能な構造となっているので、劣化したときの取り替えに容易に対応できるという利点も有している。更に、第１の弾性部材及び第２の弾性部材は、Ｕ型金具の内側に設けられるので、必要以上に変形することもない。また、高さ調整材を用いて、書架の傾きを容易に調整することも可能である。
【００２８】
そして、このような書架用制振構造は、書架の側板の真下に設置されるので、外観がすっきりとしており、歩行等の邪魔にならないという利点も有している。
【符号の説明】
【００２９】
１０ 書架
１１ 側板
１２ フレーム
１３ 棚板
１４ 背板
２０ Ｕ型金具
２０ａ Ｕ型金具の底面
２０ｂ Ｕ型金具の側面
２０ｃ 取付ボルト孔
２０ｄ アンカーボルト孔
２１ 取付ボルト
２２ アンカーボルト
３１ 第１の弾性部材
３２ 第２の弾性部材
３５ 高さ調整材
ＦＬ 床面
【図１】
2019088429.tif 000003
【図２】
2019088429.tif 000004
【図３】
2019088429.tif 000005
【図４】
2019088429.tif 000006
【図５】
2019088429.tif 000007